(57)【要約】【課題】  露光装置の光学的構成を簡単化し、簡素化、低価格化に供するフイルム一体型カメラを提供する。【解決手段】  フイルム一体型カメラは、ロール状の写真フイルムを巻き上げ自在に保持した本体基部に露光ユニット４９が取り付けられてなる。露光ユニット４９は、撮影光軸と垂直な面内で回動自在であるとともに、直径約０．５ｍｍのピンホール６１及び絞り開口６２が形成されたレンズホルダ５２と、レンズホルダ５２の絞り開口６２の前面に装着されたテレ撮影用レンズ５４とを備える。さらに、露光ユニット４９は、レンズホルダ５２の回動位置を規制してピンホール６１あるいはテレ撮影用レンズ５４のいずれかを撮影光軸に位置決めする切換え機構５０と、撮影光軸に沿って入射する被写体光への写真フイルム２８の露光時間を制御するシャッタ機構とを備える。【選択図】        図７
2005266332.tif 000002
【特許請求の範囲】
【請求項１】
ロール状の写真フイルムを巻き上げ自在に保持した基部に露光装置が取り付けられてなるフイルム一体型カメラにおいて、
前記露光装置は、撮影光軸上に形成されたピンホールと、撮影光軸に沿って入射する被写体光への前記写真フイルムの露光時間を制御するシャッタ機構とによって構成されていることを特徴とするフイルム一体型カメラ。
【請求項２】
ロール状の写真フイルムを巻き上げ自在に保持した基部に露光装置が取り付けられてなるフイルム一体型カメラにおいて、
前記露光装置は、撮影光軸と垂直な面内で回動自在であるとともに、ピンホール及び絞り開口が形成されたレンズホルダと、このレンズホルダの前記絞り開口の前面に装着されたレンズと、前記レンズホルダの回動位置を規制して前記ピンホールあるいは前記レンズのいずれかを撮影光軸に位置決めする切換え機構と、撮影光軸に沿って入射する被写体光への前記写真フイルムの露光時間を制御するシャッタ機構とによって構成されていることを特徴とするフイルム一体型カメラ。
【請求項３】
前記ピンホールは、直径がほぼ０．５ｍｍであることを特徴とする請求項１又は２記載のフイルム一体型カメラ。
【請求項４】
前記写真フイルムは、ＩＳＯ１６００以上の感度を有することを特徴とする請求項１ないし３いずれか記載のフイルム一体型カメラ。
【発明の詳細な説明】
【技術分野】
【０００１】
本発明は、写真フイルムに露光装置が取り付けられてなるフイルム一体型カメラに関するものである。
【背景技術】
【０００２】
手軽に誰でも写真撮影が楽しめる１回使用型の簡易型カメラであるフイルム一体型カメラ（レンズ付きフイルムユニット）が普及している。このような１回使用が前提とされているフイルム一体型カメラは、写真フイルムに露光装置を取り付けることによって構成されている。露光装置は、シャッタスピードや絞り調節等の露出条件を調節する機構等を可能な限り排除して簡易な構造を徹底し、簡素化、低価格化を実現している。
【０００３】
一方、近年においては、ワイド撮影やテレ撮影などの撮影も行い得るように、焦点距離の異なる２種類の撮影レンズ、この２種類の撮影レンズを選択的に切換え可能とする切換え機構などを盛り込んだフイルム一体型カメラが考案されている（例えば、特許文献１参照）。特許文献１記載の２光学系切換え式のフイルム一体型カメラの露光装置は、２枚のレンズからなるワイド用撮影レンズと、１枚構成のテレ用撮影レンズとを備え、切換えつまみによって切換え操作が可能となっている。
【０００４】
【特許文献１】特開２００１−１３３８７０号公報
【発明の開示】
【発明が解決しようとする課題】
【０００５】
しかしながら、近年のフイルム一体型カメラはいずれも露光装置の光学的構成が複雑であり、上記の簡素化、低価格化に相反する状況となっている。
【０００６】
本発明は、露光装置の光学的構成を簡単化し、簡素化、低価格化に供するフイルム一体型カメラを提供することを目的とする。
【課題を解決するための手段】
【０００７】
本発明のフイルム一体型カメラは、ロール状の写真フイルムを巻き上げ自在に保持した基部に露光装置が取り付けられてなるフイルム一体型カメラにおいて、前記露光装置は、撮影光軸上に形成されたピンホールと、撮影光軸に沿って入射する被写体光への前記写真フイルムの露光時間を制御するシャッタ機構とによって構成されていることを特徴とするものである。
【０００８】
また、本発明のフイルム一体型カメラは、ロール状の写真フイルムを巻き上げ自在に保持した基部に露光装置が取り付けられてなるフイルム一体型カメラにおいて、前記露光装置は、撮影光軸と垂直な面内で回動自在であるとともに、ピンホール及び絞り開口が形成されたレンズホルダと、このレンズホルダの前記絞り開口の前面に装着されたレンズと、前記レンズホルダの回動位置を規制して前記ピンホールあるいは前記レンズのいずれかを撮影光軸に位置決めする切換え機構と、撮影光軸に沿って入射する被写体光への前記写真フイルムの露光時間を制御するシャッタ機構とによって構成されていることを特徴とするものである。
【０００９】
なお、前記ピンホールは、直径がほぼ０．５ｍｍであることが好ましい。さらに、前記写真フイルムは、ＩＳＯ１６００以上の感度を有することが好ましい。
【発明の効果】
【００１０】
請求項１に係わる本発明のフイルム一体型カメラは、露光装置からレンズを排除されるので、露光装置の光学的構成が簡単化し、簡素化、低価格化に供することができる。また、請求項２に係わる本発明のフイルム一体型カメラは、従来複雑であった２光学系切換え式の露光装置の光学的構成が簡単化し、簡素化、低価格化に供することができる。
【発明を実施するための最良の形態】
【００１１】
図１において、本発明の第１実施形態のフイルム一体型カメラ１０は、外装ラベル１１と本体１２とから構成されている。外装ラベル１１は、本体１２の周囲に貼着されている。この外装ラベル１１には、撮影窓１３、ファインダ用窓１４等の機能各部を露呈させるための開口が設けられている。
【００１２】
本体１２には、上面左端にシャッタボタン１５が、また、背面左端に巻き上げノブ１６が、さらに前面右上にはストロボ発光窓１７が、その下にはストロボ充電スイッチ１８がそれぞれ露呈して設けられている。
【００１３】
図２の分解図に示すように、本体１２は、前カバー１９、後カバー２０、及びそれらの内部に設けられた露光ユニット（露光装置）２１、ストロボユニット２２、本体基部２３、写真フイルムカートリッジ２４などから構成されている。
【００１４】
本体基部２３は、アパーチャー２５を挟んだ一方側にカートリッジ２６を収納するカートリッジ室２７が設けられ、また他方側にカートリッジ２６から未露光の写真フイルム２８を引き出してロール状態で収納するフイルム収納室２９が設けられている。カートリッジ室２７とフイルム収納室２９とは、それぞれ背面側に開口が形成されており、その開口は写真フイルムカートリッジ２６が装填された後に後カバー２０で塞がれる。アパーチャー２５の前面側には、露光ユニット２１が取り付けられる。カートリッジ室２７の上には、巻き上げノブ１６が配置されている。撮影後に巻き上げノブ１６を回転操作することによって写真フイルム２８の露光された１コマ分がカートリッジ２７に収納されるようになっている。
【００１５】
露光ユニット２１は、暗箱が形成されたベース部材３０に、シャッタボタン１５、ファインダ光学系、シャッタチャージ機構、シャッタ機構、フイルムカウンタ機構、及びフイルム巻き止め機構等がそれぞれ組み込まれている。暗箱は、撮影窓１３の背後に配置された撮影開口からアパーチャー２５までの空間を光密に維持する。
【００１６】
シャッタチャージ機構、シャッタ機構、及びフイルム巻止め機構は、周知のスプロケット、シャッタ駆動レバー、係止レバー、シャッタ羽根、及びバネ等で構成されている。スプロケットは、写真フイルム２８のパーフォレーションに係合しており、フイルム移送に伴って従動して回転する。シャッタ駆動レバーは、スプロケットの回転によりバネの付勢に抗して走行完了位置からチャージ位置に向けてチャージされる。また、係止レバーもスプロケットの回転により移動して、１コマ分の長さだけ写真フイルム２８が移送されたときにシャッタ駆動レバーをチャージ位置で保持する保持位置にセットされる。係止レバーは、保持位置にセットされると、スプロケットの回転と巻き上げノブ１６の回転とを阻止する。
【００１７】
シャッタボタン１５は、片持ち式に設けられている。このシャッタボタン１５の下部には、押圧ロッドが一体に設けられている。そして、シャッタボタン１５の押下操作によって押圧ロッドが変位して係止レバーの一部を押圧する。これにより、係止レバーが保持位置から解除位置に回転してシャッタ駆動レバーのチャージ位置での保持を解除する。これにより、シャッタ駆動レバーは、バネの付勢によりチャージ位置からレリーズ完了位置に向けて瞬時に移動し、その移動中にシャッタ羽根を蹴飛ばす。これにより、シャッタ羽根が一往復揺動して露光が行われる。そして、係止レバーの解除位置への移動が完了することでスプロケットと巻き上げノブ１６との回転阻止を解除し、次回のフイルム巻き上げが許容される。
【００１８】
露光ユニット２１の分解図を示す図３において、ベース部材３０に形成された暗箱３１には、撮影光軸１３ａに沿ったに被写体光を暗箱３１内に導くための開口３１ａが設けられている。開口３１ａの前面には、シャッタ羽根３２がベース部材３０に植設さられた軸部３０ａを中心に揺動自在に配置されている。シャッタ羽根３２は、開口３１ａを塞ぐ遮蔽位置とこれから時計方向に回転した開き位置との間で揺動し、バネ３２ａにより遮蔽位置に向けて付勢されている。シャッタ羽根３２を覆うようにシャッタカバー３３がベース部材３０に取り付けられている。シャッタカバー３３の撮影光軸１３ａ上には、被写体光を通す撮影用の小孔（ピンホール）３４が形成されている。また、透明で平坦な保護板３５が、小孔３４を覆うようにシャッタカバー３３の前面に取り付けられている。
【００１９】
図４は、撮影光軸１３ａに沿った断面概略図を示す。一例として、小孔３４から写真フイルム２８までの距離は約３２ｍｍ、小孔３４の直径は約０．５ｍｍに形成する。また、シャッタ機構は、一撮影の露光時間が約１／４５秒となるように構成する。この場合、Ｆ値（絞り値）は約Ｆ６４となる。ピンホールからの被写体光量は通常のレンズを用いた場合と比べて小さいため、写真フイルム２８には、高感度のＩＳＯ１６００のフイルム、あるいはそれ以上の感度のフイルムが要される。このように、フイルム一体型カメラ１０は、露光ユニット２１の光学的構成が簡単化され、簡素化、低価格化に供するものとなる。
【００２０】
図５は、本発明の第２実施形態のフイルム一体型カメラ４０を示し、フイルム一体型カメラ４０は外装ラベル４１と本体４２とから構成されている。外装ラベル４１は、本体４２の周囲に貼着されている。この外装ラベル４１には、撮影窓４３、スロット４４、ファインダ用窓４５等の機能各部を露呈させるための開口が設けられ、また、ワイド撮影とテレ撮影との切り換えを示す指標Ｔ（テレ），Ｗ（ワイド）が印刷されている。ファインダ用窓４４等の機能各部を露呈させるための開口が設けられている。
【００２１】
撮影窓４３の奥には、ワイド撮影時に使用されるピンホールを覆った透明な保護板が露呈されている。このとき切換えつまみ４６は、スロット４４内の右端に位置している。切換えつまみ４６を左端にスライド操作することで、撮影窓４３の奥にテレ用撮影レンズが露呈される。本体４２には、シャッタボタン１５、巻き上げノブ１６、ストロボ発光窓１７、及びストロボ充電スイッチ１８がそれぞれ露呈して設けられており、これらは第１実施形態と同一物であるので同一の符号を付している。
【００２２】
図６の分解図に示すように、本体４２は、前カバー４７、後カバー４８、及びそれらの内部に設けられた露光ユニット（露光装置）４９、第１実施形態と同一のストロボユニット２２、本体基部２３、写真フイルムカートリッジ２４などから構成されている。本体基部２３の構成は第１実施例で述べた通りであり、本体基部２３には写真フイルム２８を収納する写真フイルムカートリッジ２４が装填される。
【００２３】
露光ユニット４９は、暗箱が形成されたベース部材３０に、シャッタボタン１５、切換え機構、レリーズロック機構、ファインダ光学系、シャッタチャージ機構、シャッタ機構、フイルムカウンタ機構、及びフイルム巻き止め機構等がそれぞれ組み込まれている。シャッタチャージ機構、シャッタ機構、及び、フイルム巻止め機構は、周知のスプロケット、シャッタ駆動レバー、係止レバー、シャッタ羽根、及びバネ等で構成されており、第１実施例で述べた通りである。
【００２４】
図７に示すように、切換え機構５０は、シャッタカバー５１、扇形のレンズホルダ５２、トグルバネ５３、押さえバネ５５、及び切換えつまみ４６とから構成されている。ベース部材３０は、第１実施例と同様に構成されており、開口３１ａの前面には、シャッタ羽根３２がベース部材３０に植設さられた軸部３０ａを中心に揺動自在に配置されている。
【００２５】
シャッタカバー５１は、シャッタ羽根３２の前面に取り付けられ、その撮影光軸４３ａ上に開口５６が、その開口５６の下部には軸部材５７が、また開口５６の左側にはストッパーピン５８が、さらに開口５６の右側にはストッパー壁５９がそれぞれ形成されている。
【００２６】
シャッタカバー５１の前面に配置されるレンズホルダ５２には、その扇形状の要に相当する箇所に軸受け部６０が設けられている。その軸受け部６０を軸部材５７に挿通することによりレンズホルダ５２は、扇部が軸部材５７よりも上側で回転するように配置される。レンズホルダ５２には、軸受け部６０に対して同じ半径上に被写体光を通すワイド撮影用の小孔（ピンホール）６１と、テレ撮影の絞り開口６２とが回転方向に並べて開設されている。小孔６１の前には透明で平坦な保護板６１ａが取り付けられ、絞り開口６２の前には２枚構成のテレ用撮影レンズ５４が取り付けられる。このテレ用撮影レンズ５４は、２枚のレンズ５４ａ，５４ｂとそれらの間に挟装された間隔環５４ｃとによって構成されている。
【００２７】
レンズホルダ５２には、軸受け部６０と撮影光軸４３ａが通る位置との間に係合突起６３が設けられている。切換えつまみ４６は、台座４６ａに設けられている。台座４６ａは、前カバー４７の背面に摺動し、スロット４４と切換えつまみ４６との間の隙間を塞ぐ。この台座４６ａには、背後に向けて突出して形成された被係合部６４が設けられている。被係合部６４は、係合突起６３に係合する。
【００２８】
レンズホルダ５２は、切換えつまみ４６を右側にスライド操作したときには「ワイド撮影位置」に、また、切換えつまみ４６を左側にスライド操作したときには「テレ撮影位置」にそれぞれ回転する。ワイド撮影位置のときには、レンズホルダ５２の右端がストッパー壁５９に当接して小孔６１が撮影光軸４３ａの上に位置決めされる。テレ撮影位置のときには、レンズホルダ５２の左端に形成された切り欠き部６５にストッパーピン５８が係合してテレ用撮影レンズ５４が撮影光軸４３ａの上に位置決めされる。
【００２９】
トグルバネ５３は、撮影光軸４３ａを挟んでシャッタ羽根３２の揺動軌跡側とは逆側に配置されている。シャッタカバー５１には、グルバネ５３のコイル部５３ａの入り込みスペースを確保するための凹部６６が形成されている。凹部６６は、正面から見てレンズホルダ５２の回転軌跡内に配設されている。トグルバネ５３は、一端がシャッタカバー５１に、また他端がレンズホルダ５２にそれぞれ取り付けられており、ワイド撮影位置とテレ撮影位置との略中間となる死点位置を超えてレンズホルダ５２が回転されたときに、レンズホルダ５２をワイド撮影位置又はテレ撮影位置に向けて付勢する。そして、ワイド撮影位置のときに、コイル部５３ａがレンズホルダ５２の回転軌跡外に位置し、またテレ撮影位置のときにコイル部５３ａが凹部６６に入り込む。
【００３０】
押さえバネ５５は、金属製のバネ板であり、一端が前カバー４７の背面に固定され、また、他端がレンズホルダ５２をシャッタカバー５１に向けて付勢する。
【００３１】
レリーズロック機構は、カム部６７、ロックレバー６８、及び捩じりバネ６９とで構成されている。カム部６７は、レンズホルダ５２の上端の円弧部に突出して形成されている。ロックレバー６８はＶ字状をしており、その閉じ側角部がシャッタカバー５１に植設された軸５１ａに回動自在に設けられている。Ｖ字状の開放側の一端６８ａはシャッタボタン１５の下部に一体に形成された押圧ロッド１５ａに、また他端６８ｂはカム部５８に向けて臨んでいる。
【００３２】
カム部６７は、ロックレバー６８の一端６８ａを押圧ロッド１５ａの変位軌跡内に移動させる「ロック位置」と、押圧ロッド１５ａの変位軌跡外に退避させる「ロック解除位置」との間でロックレバー６８を回転させる。ロックレバー６８をロック位置に回転させるカム部６７の範囲は、レンズホルダ５２がワイド撮影位置又はテレ撮影位置以外の範囲で回転する間に応じた範囲となっている。また、ロックレバー６８をロック解除位置に回転させるカム部６７の位置は、レンズホルダ５２がワイド撮影位置又はテレ撮影位置に回転した位置に対応している。ロックレバー６８は、ロック位置まで回転するとロックレバー６８の一端６８ａで押圧ロッド１５ａによる係止レバーへの押圧を阻止して、シャッタレリーズをロックする。ロックレバー６８は、捩じりバネ６９によりロックレバー６８の他端６８ｂがカム部６７に当接する回転方向に向けて常に付勢されている。
【００３３】
図８（Ａ）〜（Ｃ）は、切換えつまみ４６の操作にともなって、レンズホルダ５２がワイド撮影位置からテレ撮影位置へ移動し、切換え機構５０によってレンズホルダ５２の回動位置が規制される様子を示す。ワイド撮影時には、切換えつまみ４６が指標Ｗの方向に操作され、図８（Ａ）に示すように、レンズホルダ５２の右端がストッパー壁５９に当接してワイド撮影位置にセットされる。この状態では、レンズホルダ５２がトグルバネ５３によってストッパー壁５９に当接する方向に付勢され、ワイド用撮影用の小孔６１が撮影光軸４３ａの上に正確に位置決めされる。
【００３４】
また、レンズホルダ５２がワイド撮影位置のときには、ロックレバー６８がロック解除位置に位置している。これにより、ロックレバー６８の一端６８ａが押圧ロッド１５ａの移動軌跡外に退避しており、シャッタレリーズが許容される。この状態でシャッタボタン１５を押下操作することで、所定時間の間、小孔６１を通して写真フイルム２８に被写体光の露光が行われる。
【００３５】
テレ撮影を行う場合には、切換えつまみ４６が指標Ｔの方向に操作され、図８（Ｂ）に示すように、レンズホルダ５２はトグルバネ５３の付勢力に抗しながら反時計方向に旋回してゆく。レンズホルダ５３の旋回が継続されると、その回転範囲の中ほどでトグルバネ５３の付勢力は反時計方向旋回を助ける方向に働く。その後、図８（Ｃ）に示すように、トグルバネ５３のコイル部５３ａがレンズホルダ５２の回転軌跡内に移動し、切り欠き部６５にストッパーピン５８が係合した状態で反時計方向旋回は停止される。このとき、コイル部５３ａが凹部６６に入り込み、テレ用撮影レンズ５４が撮影光軸４３ａの上に正確に位置決めされる。
【００３６】
また、レンズホルダ５２の反時計方向旋回中には、カム部６７がロックレバー６８をロック位置に回転させる。これにより、ロックレバー６８の一端６８ａが押圧ロッド１５ａの変位軌跡内に入り込んで押圧ロッド１５ａの変位を阻止する。したがって、切換えつまみ４６をスライド操作している間に誤ってシャッタボタン１５が押下されても露光が行われることはない。
【００３７】
そして、レンズホルダ５３がテレ撮影位置にセットされると、カム部６７がロックレバー６８をロック解除位置に回転させる。これにより、ロックレバー６８の一端６８ａが押圧ロッド１５ａの移動軌跡外に位置するから、露光動作が許容される。
【００３８】
図９及び図１０は、ワイド撮影時及びテレ撮影時の撮影光軸４３ａに沿った断面概略図を示す。一例として、小孔６１の直径は約０．５ｍｍに形成されており、シャッタ機構は、一撮影の露光時間が約１／８０秒となるように構成されているとする。また、写真フイルム２８には、高感度のＩＳＯ１６００のフイルム、あるいはそれ以上の感度のフイルムが要される。図９は、ワイド撮影時の場合であって、小孔６１が撮影光軸４３ａの上に位置決めされ、小孔６１から写真フイルム２８までの距離が約３２ｍｍとなっている。図１０は、テレ撮影時の場合であって、テレ用撮影レンズ５４が撮影光軸４３ａの上に位置決めされ、テレ用撮影レンズ５４の焦点距離は５０ｍｍとなっている。
【００３９】
撮影者は、切換えつまみ４６を操作することで随時にピンホールによるワイド撮影と、テレ用撮影レンズによるテレ撮影とを切り換えることができる。このように、フイルム一体型カメラ４０は、ワイド撮影時にはレンズを用いないので、レンズ保持部材などが要されず、露光ユニット４９の光学的構成が簡単化され、簡素化、低価格化に供するものとなる。
【００４０】
なお、上記第１実施形態における小孔の大きさ、小孔から写真フイルムまでの距離、及び露光時間は、上記数値に限定されるものではない。また、上記第２実施形態における小孔の大きさ、小孔から写真フイルムまでの距離、テレ用撮影レンズの焦点距離、及び露光時間は、上記数値に限定されるものではない。
【図面の簡単な説明】
【００４１】
【図１】第１実施形態のフイルム一体型カメラの外観を示す斜視図である。
【図２】本体の分解斜視図である。
【図３】露光ユニットの分解斜視図である。
【図４】撮影光軸に沿った断面概略図である。
【図５】第２実施形態のフイルム一体型カメラの外観を示す斜視図である。
【図６】本体の分解斜視図である。
【図７】露光ユニットの分解斜視図である。
【図８】（Ａ）はワイド撮影位置、（Ｂ）は中間位置、（Ｃ）はテレ撮影位置の状態を示す図である。
【図９】ワイド撮影時における撮影光軸に沿った断面概略図である。
【図１０】テレ撮影時における撮影光軸に沿った断面概略図である。
【符号の説明】
【００４２】
１０  フイルム一体型カメラ
１２  本体
１３ａ  撮影光軸
２１  露光ユニット
２３  本体基部
２８  写真フイルム
３０  ベース部材
３１  暗箱
３２  シャッタ羽根
３３  シャッタカバー
３４  小孔（ピンホール）
４０  フイルム一体型カメラ
４３ａ  撮影光軸
４６  切換えつまみ
４９  露光ユニット
５０  切換え機構
５１  シャッタカバー
５２  レンズホルダ
５４  テレ用撮影レンズ
６１  小孔（ピンホール）
６２  絞り開口
【図１】
2005266332.tif 000003
【図２】
2005266332.tif 000004
【図３】
2005266332.tif 000005
【図４】
2005266332.tif 000006
【図５】
2005266332.tif 000007
【図６】
2005266332.tif 000008
【図７】
2005266332.tif 000009
【図８】
2005266332.tif 000010
【図９】
2005266332.tif 000011
【図１０】
2005266332.tif 000012